(57)【要約】【課題】  パネルの吊り上げの際に吊り治具の脱着が容易で、かつ作業性良く、金具コストを抑えたＡＬＣパネル用吊り上げ方法と、パネルの固定方法を提供する。【解決手段】  パイプのほぼ中央部に取付金具をパネルに固定するためのネジ穴と、パイプのいずれか一方の端部にアイボルトと螺結するためのネジ穴が切削加工されているパイプアンカーを使用する。パネル短辺小口に設けられた挿入孔から該パイプアンカーを挿入し、ボルトにより取付金具を該パイプアンカーに螺合することによりパネル取付金具をパネルに固定する。その後、アイボルトの端部を短辺小口から挿入し、該パイプアンカーに螺結することにより、パネルを吊り上げる。【選択図】図５
2006322207.tif 000002
【特許請求の範囲】
【請求項１】
軽量気泡コンクリートパネル内部に、パイプのほぼ中央部といずれか一方の端部にネジ穴を有するパイプアンカーを具備し、該パイプアンカーの一方の端部のネジ穴は前記軽量気泡コンクリートパネルの一方の短辺小口に開口しており、該パイプアンカーの中央部のネジ穴は前記軽量気泡コンクリートパネルの一側面に設けられた貫通孔を通して開口してなることを特徴とする軽量気泡コンクリートパネル。
【請求項２】
前記パイプのほぼ中央部に設けたネジ穴にパネル取付ボルトを螺合させ、該パネル取付ボルトで上半分が垂直部と水平部に分割されて断面Ｔ字状に折り曲げられており、下半分の垂直部中央にスリットを有するパネル取付金具を締め付けて固定してなることを特徴とする請求項１に記載の軽量気泡コンクリートパネル。
【請求項３】
軽量気泡コンクリートパネルの一方の短辺小口と一方の側面に、該軽量気泡コンクリートパネルの内部で連通する孔を設け、前記短辺小口に設けた孔からパイプのほぼ中央部といずれか一方の端部に切削されたネジ穴を有するパイプアンカーを挿入し、次いで、前記軽量気泡コンクリートパネルの側面に設けた孔からパネル取付ボルトを挿入して前記パイプアンカーの中央部に設けたネジ穴に螺合させ、該パネル取付ボルトを締め付けてパネル取付金具を前記軽量気泡コンクリートパネルに固定することを特徴とするパネル取付金具の固定方法。
【請求項４】
いずれか一方の端部とほぼ中央部とにネジ穴が切削されたパイプアンカーを軽量気泡コンクリートパネル内に埋設し、該軽量気泡コンクリートパネルの短辺小口と一方の側面に前記ネジ穴に通じる孔を設け、前記軽量気泡コンクリートパネルの側面に設けた孔にパネル取付ボルトを挿入してパネル取付金具を前記パイプアンカー中央部のネジ穴に螺合させて前記パネル取付金具のスリットを挿入し、前記パネル取付ボルトを締め付けて前記パネル取付金具を軽量気泡コンクリートパネルの短辺小口に固定し、次いで前記軽量気泡コンクリートパネルの短辺小口の設けた孔を介して吊り上げ用のアイボルトを前記パイプアンカー端部に設けられたネジ穴に螺合させて固定し、しかる後該アイボルトにシャックルを介してワイヤーロープを掛けて軽量気泡コンクリートパネルを吊り上げて、躯体の所定位置に該軽量気泡コンクリートパネルをセットしてシャックルとワイヤーロープを取り外した後、前記パネル取付金具を建物躯体の定規アングルに固定することを特徴とする軽量気泡コンクリートパネルの取付方法。
【発明の詳細な説明】
【技術分野】
【０００１】
本発明は、軽量気泡コンクリートパネル（以下、ＡＬＣパネルという）を施工現場などにおいて、吊り上げる際に用いるパネル用吊り上げ用アンカーと吊り上げ方法に関するものである。
【背景技術】
【０００２】
従来、建築現場で軽量気泡コンクリートパネル（ＡＬＣパネル）を吊り上げる方法としては、例えば図１０に示すような方法がある。この方法は、ＡＬＣパネル１の上部に水平Ｘ軸方向の鋼棒孔２と、水平Ｙ軸方向のボルト孔３および垂直Ｚ軸方向の吊金具孔４がそれぞれ連通して穿設されており、ＡＬＣパネル１の吊り上げに際しては、鋼棒７を鋼棒孔２へ、下部に挿通孔を有する金具５ａを吊り金具５に螺合させ吊金具孔４に挿入すると共に、端部に挿通孔を有するＯボルト６をボルト孔３に挿入して、該アンカー鋼棒７を前記吊金具５とＯボルト６に挿通し、これによって吊金具５、Ｏボルト６およびアンカー鋼棒７を相互に係合する。その後、吊金具５の頂部にアイボルト５ｂを螺合し、かつＯボルト６を挿通孔９を有するパネル取付金具８に挿通させた後、このＯボルト６にナット１０を螺合し、Ｏボルト６およびアンカー鋼棒７をＡＬＣパネル１に仮止めする。この状態でアイボルト５ｂに吊金具に介してワイヤーを取り付けることにより、パネル挿通孔およびボルト６を挿入し、相互の金具と金具を連結せしめた後に吊金具を介してパネルを吊り上げる方法が提案されている（例えば、特許文献１参照）。
【０００３】
あるいはまた、例えば、上記以外に図１１（ａ）に示すような吊り上げ金具１６を使用する方法がある。この吊り上げ金具１６は、端部にナット１１が埋設されたＡＬＣパネル１を吊り上げる際に使用するものであって、ＡＬＣパネル１に取り付けるパネル吊り用に係止用挿入孔１２が設けられた吊り具本体と、この吊り具本体に一体的に設けられ、且つ吊り具本体から平行状に垂下された一対の狭持片１３，１３と、この一対の狭持片１３の少なくとも一方に前記パネルのアンカーに螺合するボルト１４を挿通して保持するボルト孔１５を形成した金具を使用する方法である。この吊り上げ金具１６を使用してＡＬＣパネル１を吊り上げるには、図１１(ｂ)に断面で示すように、ＡＬＣパネル１の上端を吊り上げ金具１６の狭持片１３，１３で挟み込み、ボルト孔１５にボルト１４を挿通してＡＬＣパネル１内に埋設されたパイプアンカーのネジ穴１１に螺合させて締め付け、吊り上げ金具１６上端の係止用挿入孔１２にシャックルを介して吊り上げ用ワイヤーを掛けて吊り上げる。ＡＬＣパネル１を所定位置にセットした後、ワイヤー、シャックル、ボルト１４を順次取り外し、最後に吊り上げ金具１６を取り外す。（例えば、特許文献２参照）。
【特許文献１】特開平０６−１０５１２号公報
【特許文献２】特開２００４−１０８０８０公報
【発明の開示】
【発明が解決しようとする課題】
【０００４】
前記、特許文献１に示す吊り上げ方法においては、水平Ｘ軸方向からのアンカー鋼棒７の挿通孔、水平Ｘ方向からのＯボルト６の挿通孔および垂直Ｚ方向からの吊金具５の挿通孔の３つの挿通孔が必要である。そのため、それぞれ３つの孔を１箇所で合致させるためには、孔あけ精度と技術を要する。また、それぞれの挿通孔が合致する箇所で下部に挿通孔を有する金具５ａとＯボルト６とをアンカー鋼棒７に連結しなければならず、手間がかかる。また、下部に挿通孔を有する吊り上げ金具５ａと螺合された吊り上げ金具５は、ＡＬＣパネル１を吊り上げ躯体に取り付けられた後には不要となるが、取り外すことができないため金具コストがかさむといった問題もある。
また、特許文献２に示す吊り上げ金具は、ＡＬＣパネルを吊り上げ、躯体に取り付ける際に当該吊金具を外し、取付金具をＡＬＣパネルに取り付ける手間がかかり、施工効率が悪い。
そこで本発明の目的は、ＡＬＣパネルの吊り上げの際に吊り治具の脱着が容易で、かつ作業性良く、金具コストを抑えたＡＬＣパネル用吊り上げ方法を提供することにある。
また、このＡＬＣパネル用吊り上げ方法を使用して、ＡＬＣパネルを建物駆体の所定位置に固定する方法を提供することにある。
【課題を解決するための手段】
【０００５】
本発明で使用するパネル吊り上げ用アンカーは、パネル取付用パイプアンカーを利用した軽量気泡コンクリートパネル吊り上げ用アンカーであって、パイプのほぼ中央部には取付金具をパネルに固定するためのネジ穴と、また、パイプアンカーのいずれか一方の端部にはアイボルトと螺結するためのネジ穴が切削加工されているものを使用する。このパイプアンカーを使用して、パネル短辺小口に設けられた挿入孔から該パイプアンカーを挿入し、ボルトにより取付金具を該パイプアンカーに螺合することによりパネル取付金具をパネルに固定する。その後、アイボルトの端部を短辺小口から挿入し、該パイプアンカーに螺結することにより、パネルを吊り上げることが可能となる吊り上げ用アンカーを提供するものである。
【０００６】
すなわち本発明は、軽量気泡コンクリートパネル内部に、パイプのほぼ中央部といずれか一方の端部にネジ穴を有するパイプアンカーを具備し、該パイプアンカーの一方の端部のネジ穴は前記軽量気泡コンクリートパネルの一方の短辺小口に開口しており、該パイプアンカーの中央部のネジ穴は前記軽量気泡コンクリートパネルの一側面に設けられた貫通孔を通して開口してなる軽量気泡コンクリートパネルとした。
本発明の軽量気泡コンクリートパネルにあっては前記パイプのほぼ中央部に設けたネジ穴にパネル取付ボルトを螺合させ、該パネル取付ボルトで上半分が垂直部と水平部に分割されて断面Ｔ字状に折り曲げられており、下半分の垂直部中央にスリットを有するパネル取付金具を締め付けて固定したものとすることができる。
このように構成した軽量気泡コンクリートパネルを使用することにより、軽量気泡コンクリートパネルの吊り上げ作業が簡単になり、作業能率を大幅に改善することが可能となる。
【０００７】
本発明のパネル取付金具の取付方法は、軽量気泡コンクリートパネルの一方の短辺小口と一方の側面に、該軽量気泡コンクリートパネルの内部で連通する孔を設け、前記短辺小口に設けた孔からパイプのほぼ中央部といずれか一方の端部に切削されたネジ穴を有するパイプアンカーを挿入し、次いで、前記軽量気泡コンクリートパネルの側面に設けた孔からパネル取付ボルトを挿入して前記パイプアンカーの中央部に設けたネジ穴に螺合させ、該パネル取付ボルトを締め付けてパネル取付金具を前記軽量気泡コンクリートパネルに固定する方法を採用した。
このような方法を採用すれば、軽量気泡コンクリートパネルを成型した後から、簡単な作業でパネル取付金具を固定することが可能となる。
【０００８】
本発明の軽量気泡コンクリートパネルの取付方法は、いずれか一方の端部とほぼ中央部とにネジ穴が切削されたパイプアンカーを軽量気泡コンクリートパネル内に埋設し、該軽量気泡コンクリートパネルの短辺小口と一方の側面に前記ネジ穴に通じる孔を設け、前記軽量気泡コンクリートパネルの側面に設けた孔にパネル取付ボルトを挿入してパネル取付金具を前記パイプアンカー中央部のネジ穴に螺合させて前記パネル取付金具のスリットを挿入し、前記パネル取付ボルトを締め付けて前記パネル取付金具を軽量気泡コンクリートパネルの短辺小口に固定し、次いで前記軽量気泡コンクリートパネルの短辺小口の設けた孔を介して吊り上げ用のアイボルトを前記パイプアンカー端部に設けられたネジ穴に螺合させて固定し、しかる後、該アイボルトにシャックルを介してワイヤーロープを掛けて軽量気泡コンクリートパネルを吊り上げて、躯体の所定位置に該軽量気泡コンクリートパネルをセットしてシャックルとワイヤーロープを取り外した後、前記パネル取付金具を建物躯体の定規アングルに固定する方法とした。
このような方法を採用すれば、軽量気泡コンクリートパネルの吊り上げから固定までの作業が簡素化され、作業が安全に能率よく行える利点がある。
【発明の効果】
【０００９】
本発明のパネル吊り上げ用アンカーは、ＡＬＣパネル取付用のパイプアンカーを利用したものであり、吊り上げ後ＡＬＣパネルから外す必要がないために、作業能率を高めることができる。また、吊り上げ金具コストがかからず経済的である。また、形状構造が簡単で、容易にかつ短時間でＡＬＣパネルに吊り上げ治具を固定することができる。そのため、ＡＬＣパネル吊り上げ作業性が向上する。また、前記パネル用吊りアンカーは、ＡＬＣパネル短辺小口に吊り治具が設置できるので、ＡＬＣパネルを垂直に吊り上げることができ、より安全な吊り上げ作業ができるという優れた効果がある。
このような吊り上げ用アンカーを使用したＡＬＣパネルの取付方法によれば、手間がからず、施工効率を大幅に向上させることが可能となる。
【発明を実施するための最良の形態】
【００１０】
本発明の実施の形態を図に基づいて説明する。
図１は、本発明における軽量気泡コンクリート（ＡＬＣ）パネルの一実施形態を示す外観斜視図である。図１では既にパネル取付金具２３を取り付けた状態を示している。   本発明の軽量気泡コンクリートパネルは、パネル本体１の内部に図示省略のパイプアンカーを埋設して有し、該パネル本体１の一方の短辺小口１ａに設けたネジ穴１ｃに、前記パイプアンカーの一方の端部のネジ穴２１ｂが開口しており、パネル取付金具２３がパネル本体１のパネル裏側となる一側面１ｂと短辺小口１ａに密接して、パネル取付ボルト２２を使用して取り付けられている。パネル取付ボルト２２は、パネル本体１の内部に埋設された前記パイプアンカーの中央部に設けられたネジ穴に螺合して締め付けることによりパネル本体１に固定されている。
【００１１】
図２に、本発明の軽量気泡コンクリートパネルに埋設されているパイプアンカー２１の外観斜視図を示す。
このパイプアンカー２１は、パイプのほぼ中央部にパネル取付金具を取り付けるためのネジ穴２１ａを有し、その一方の端部には吊り上げ用のアイボルトを螺合させるためのネジ穴２１ｂを有している。
図３は、本発明の軽量気泡コンクリートパネルに取り付けるパネル取付金具２３の一例を示す外観斜視図である。
このパネル取付金具２３は、ほぼ上半分が垂直部２３ａと水平部２３ｂに分割されて断面Ｔ字状に折り曲げられており、下半分の垂直部２３ｃの中央にスリット２４を有するものであって、鋼板を切り抜いて折り曲げ加工して成形されている。このパネル取付金具２３は、図４（ａ）に示すように、上半分の垂直部２３ａと下半分の垂直部２３ｃとが同一平面をなしていても良く、図４（ｂ）に示すように、上半分の垂直部２３ａと下半分の垂直部２３ｃとが断面Ｚ字状に折り曲げて段差を有する面で構成されていても良い。図４（ｂ）に示すように断面Ｚ字状に折り曲げて成形した場合には、ＡＬＣパネルを建物の駆体に固定する場合に余裕空間が生じて、作業が容易になる利点がある。
中央のスリット２４は、取付ボルトを挿入するものであって、長穴としても良い。
【００１２】
図５〜図８は、前記パイプアンカー２１をＡＬＣパネルに取り付けてＡＬＣパネルを吊り上げる方法を説明する図である。
先ず、図５に示すように、軽量気泡コンクリートパネル本体１の一方の短辺小口１ａと一方の側面１ｂに、該軽量気泡コンクリートパネルの内部１ｄで連通する孔１ｆ、１ｇを穿設し、前記短辺小口１ａに設けた孔１ｆから前述のパイプのほぼ中央部といずれか一方の端部にネジ穴を有するパイプアンカー２１を挿入し、次いで、前記軽量気泡コンクリートパネルの側面１ｂに設けた孔１ｈからパネル取付ボルト２２を挿入して前記パイプアンカー２１の中央部に設けたネジ穴に螺合させ、該パネル取付ボルト２２を締め付けてパネル取付金具２３を前記軽量気泡コンクリートパネル本体１に固定する。
【００１３】
次いで、図６に示すように、短辺小口１ａよりアイボルト２４を挿入し、該パイプアンカー２１のネジ穴２１ｂに螺合させる。次に図７に示すように、アイボルト２４ａに吊り上げワイヤーを挿通させたシャックル２４ｂを取り付ける。このようにして吊り上げ準備を整えた上で、図８に示すようにＡＬＣパネル１を吊り上げワイヤー２５により吊り上げる。
このようにして施工現場の所定位置までＡＬＣパネルを吊り込んでＡＬＣパネルを固定したら、順次シャックル２４ｂ、吊り上げワイヤー２５を外し、最後にアイボルト２４ａを抜き取る。この際、パイプアンカーはＡＬＣパネル本体中に残し、パネルに取付金具２３を固定しておく。
【００１４】
次に、図９に示すように、パネル取付金具２３を使用してＡＬＣパネル１−１を建物躯体５０の定規アングル５１に固定する。定規アングル５１は建物の構造体をなすＨ型鋼等からなる建物躯体５０に、パネル取付用に溶接固定されたアングル鋼である。パネル取付金具２３は、この定規アングル５１にネジ止めもしくは溶接固定する。
ＡＬＣパネル１−１を所定の定規アングル５１に固定した後、前述の手順によって次のＡＬＣパネル１−２を吊り上げ、ＡＬＣパネル１−１のパネル取付金具２３の水平部２３ｂの上に載置する。
このようにして、必要なＡＬＣパネルを順次所定位置に吊り上げ、固定することにより軽量気泡コンクリートパネルを取り付け施工する。
【図面の簡単な説明】
【００１５】
【図１】本発明の軽量気泡コンクリートパネルの一実施形態を示す外観斜視図である。
【図２】本発明で使用するパイプアンカーの一例を示す外観斜視図である。
【図３】本発明で使用するパネル取付金具の一例を示す外観斜視図である。
【図４】(ａ)、(ｂ)はともにパネル取付金具の断面形状を説明する図である。
【図５】パイプアンカー及びパネル取付金具の取付方法を説明する図である。
【図６】ＡＬＣパネルの吊り上げ方法を説明する図である。
【図７】図６に続くＡＬＣパネルの吊り上げ方法を説明する図である。
【図８】図７に続くＡＬＣパネルの吊り上げ方法を説明する図である。
【図９】ＡＬＣパネルの固定方法を説明する図である。
【図１０】従来のＡＬＣパネルの吊り上げ方法の一例を説明する図である。
【図１１】(ａ)、(ｂ)はともに従来のＡＬＣパネルの吊り上げ方法の他の例を説明する図である。
【符号の説明】
【００１６】
１  ＡＬＣパネル
２  水平Ｘ軸方向の鋼棒孔
３  水平Ｙ軸方向のボルト孔
４  垂直Ｚ軸方向の吊金具孔
５  吊金具
６  Ｏボルト
７  アンカー鋼棒
８  取付金具
９  取付金具挿通孔
１２  系止用挿入孔
１３  狭持片
１４  ボルト
１５  ボルト孔
２１  パイプアンカー
２２  取付ボルト
２３  取付金具
２４a  アイボルト
２４ｂ  シャックル
２５  吊り上げワイヤー
【図１】
2006322207.tif 000003
【図２】
2006322207.tif 000004
【図３】
2006322207.tif 000005
【図４】
2006322207.tif 000006
【図５】
2006322207.tif 000007
【図６】
2006322207.tif 000008
【図７】
2006322207.tif 000009
【図８】
2006322207.tif 000010
【図９】
2006322207.tif 000011
【図１０】
2006322207.tif 000012
【図１１】
2006322207.tif 000013